(57)【要約】【課題】生体認証を利用し、少ない操作工程でユーザ毎にデータを整理することが可能な電子機器を提供すること。【解決手段】生体の特徴量を検出する生体認証センサと、ユーザにより所定の操作が行われる際に前記生体認証センサで検出された特徴量に基づいて当該ユーザを特定するユーザ特定部と、前記所定の操作に応じて取得されるデータを前記ユーザ特定部で特定されたユーザに対応する所定のフォルダに格納するデータ格納部と、を備える、生体認証機能付き電子機器が提供される。【選択図】図１
2010211518.tif 000002
【特許請求の範囲】
【請求項１】
生体の特徴量を検出する生体認証センサと、
ユーザにより所定の操作が行われる際に前記生体認証センサで検出された特徴量に基づいて当該ユーザを特定するユーザ特定部と、
前記所定の操作に応じて取得されるデータを前記ユーザ特定部で特定されたユーザに対応する所定のフォルダに格納するデータ格納部と、
を備える、生体認証機能付き電子機器。
【請求項２】
前記ユーザ特定部の特定結果に基づき、前記所定の操作が行われる際に前記生体認証センサで同じユーザの特徴量が続けて検出された回数をカウントする検出回数カウンタと、
前記検出回数カウンタによる検出回数に応じて前記データが格納される所定のフォルダを選択するフォルダ選択部と、
をさらに備え、
前記データ格納部は、前記フォルダ選択部で選択された所定のフォルダに前記データを格納する、請求項１に記載の生体認証機能付き電子機器。
【請求項３】
前記生体認証センサで検出された特徴量に基づいて生体部位を特定する生体部位特定部をさらに備え、
前記フォルダ選択部は、前記検出回数カウンタによる検出回数がＮ（Ｎ≧２）の場合、前記生体認証センサでｋ（ｋ＝２，…，Ｎ）回目に検出された特徴量に基づいて前記生体部位特定部により特定された生体部位に応じて前記所定のフォルダを選択する、請求項２に記載の生体認証機能付き電子機器。
【請求項４】
前記フォルダ選択部は、前記検出回数カウンタによる検出回数がＮ（Ｎ≧３）の場合、前記生体部位特定部で順次特定されるＮ個の生体部位の組み合わせ及び並び順に応じて前記所定のフォルダを選択する、請求項３に記載の生体認証機能付き電子機器。
【請求項５】
個々のユーザと所定のグループとの間の対応関係を定義するグループ情報に基づいて前記ユーザ特定部で特定されたユーザに対応する前記所定のグループを選択するグループ選択部をさらに備え、
前記データ格納部は、前記所定の操作に応じて取得されたデータを前記グループ選択部で選択されたグループに対応する所定のフォルダに格納する、請求項１に記載の生体認証機能付き電子機器。
【請求項６】
前記ユーザ特定部で特定されたユーザ以外のユーザに対応する所定のフォルダ、及び当該所定のフォルダ内のデータに対して表示制限又は操作制限を設定する制限設定部をさらに備える、請求項１に記載の生体認証機能付き電子機器。
【請求項７】
前記データ格納部は、前記所定の操作に応じて取得されるデータを全ユーザに共通の共通フォルダに格納し、当該共通フォルダに格納したデータの情報を前記ユーザ特定部で特定されたユーザに対応する所定の仮想フォルダに対応付ける、請求項１に記載の生体認証機能付き電子機器。
【請求項８】
前記生体の特徴量は、静脈パターン、指紋、虹彩模様のいずれか１つ又は複数の組み合わせに基づいてユーザを一意に特定することが可能な特徴量である、請求項１に記載の生体認証機能付き電子機器。
【請求項９】
被写体像を撮影する撮像部と、
前記撮像部に撮像処理を実行させるための操作ボタンと、
をさらに備え、
前記ユーザ特定部は、前記操作ボタンが操作された際に前記生体認証センサで検知された特徴量に基づいて当該ユーザを特定し、
前記データ格納部は、前記操作ボタンの操作に応じて前記撮像部により撮影された画像のデータを前記ユーザ特定部で特定されたユーザに対応する所定のフォルダに格納する、請求項１に記載の生体認証機能付き電子機器。
【請求項１０】
コンテンツデータを取得するデータ取得部と、
前記データ取得部にデータの取得処理を実行させるための操作ボタンと、
をさらに備え、
前記ユーザ特定部は、前記操作ボタンが操作された際に前記生体認証センサで検知された特徴量に基づいて当該ユーザを特定し、
前記データ格納部は、前記操作ボタンの操作に応じて前記データ取得部により取得されたコンテンツデータを前記ユーザ特定部で特定されたユーザに対応する所定のフォルダに格納する、請求項１に記載の生体認証機能付き電子機器。
【請求項１１】
生体の特徴量を検出する生体認証センサと、
ユーザにより所定の操作が行われる際に前記生体認証センサで検出された特徴量に基づいて当該ユーザを特定するユーザ特定部と、
前記所定の操作に応じて取得されるデータに前記ユーザ特定部で特定されたユーザの属性情報を付与する属性付与部と、
前記属性付与部でユーザの属性情報が付与されたデータを所定のフォルダに格納するデータ格納部と、
を備える、生体認証機能付き電子機器。
【請求項１２】
前記データ及び前記所定のフォルダに関する情報を表示することが可能な表示部と、
前記データの表示操作が行われる際に前記生体認証センサで検出された特徴量に基づいて前記ユーザ特定部により特定されたユーザに対応する所定のフォルダ及び当該所定のフォルダ内に格納されたデータのいずれか一方又は両方を前記表示部に表示させる表示制御部と、
をさらに備える、請求項１又は１１に記載の生体認証機能付き電子機器。
【請求項１３】
生体の特徴量を検出する生体認証センサを利用し、ユーザにより所定の操作が行われる際に前記生体認証センサで検出された特徴量に基づいて当該ユーザを特定するユーザ特定ステップと、
前記所定の操作に応じて取得されるデータを前記ユーザ特定ステップで特定されたユーザに対応する所定のフォルダに格納するデータ格納ステップと、
を含む、データ管理方法。
【請求項１４】
生体の特徴量を検出する生体認証センサを利用し、ユーザにより所定の操作が行われる際に前記生体認証センサで検出された特徴量に基づいて当該ユーザを特定するユーザ特定ステップと、
前記所定の操作に応じて取得されるデータに前記ユーザ特定ステップで特定されたユーザの属性情報を付与する属性付与ステップと、
前記属性付与ステップでユーザの属性情報が付与されたデータを所定のフォルダに格納するデータ格納ステップと、
を含む、データ管理方法。
【発明の詳細な説明】
【技術分野】
【０００１】
本発明は、生体認証機能付き電子機器、及びデータ管理方法に関する。
【背景技術】
【０００２】
近年、情報処理技術や通信技術の急激な発展に伴い、電子機器のデジタル化が進んだ。さらに、デジタル機器の低価格化に伴い、一般家庭にも広くデジタル機器が普及するに至った。その結果、日常生活の様々な場面でデジタル機器が使用されるようになった。例えば、デジタルスチルカメラ、デジタルビデオカメラ、ポータブル音楽プレーヤ、携帯電話、携帯情報端末、デジタルテレビジョン、デジタルビデオレコーダ等が現在広く利用されている。このようなデジタル機器では、写真データ、ビデオデータ、音楽データ等がデジタルデータとして扱われる。そのため、ユーザは、データの削除や編集等を容易に行うことができる。さらに、これらのデジタル機器からパーソナルコンピュータ（以下、ＰＣ）等にデータを容易に移動することが可能であるため、ユーザは、データをＰＣ等の上で管理することができる。
【０００３】
また、最近では、半導体製造プロセスの微細化により、低価格で大容量のメモリが手に入るようになった。そのため、デジタルカメラ等に大容量のメモリを搭載し、大量のデータを記録することができるようになった。その結果、ユーザは、メモリの残容量を気にせずに連続撮影を行ったり、大量の音楽データを持ち運ぶことができるようになった。しかし、メモリ内に大量のデータが蓄積されることになり、データの管理が難しくなった。特に、複数のユーザが共用するデジタル機器では、同じメモリ内に複数のユーザが格納したデータが蓄積されてしまうため、ユーザ毎に管理するのが難しい。その結果、メモリに蓄積したデータを利用する際、所望のデータを探し出すのに大きな負担が生じてしまう。
【０００４】
そこで、これまではユーザ毎にデータを記録するフォルダを分け、データを格納する際に、或いは、データを利用する際に、各ユーザが自身のフォルダを参照することで負担を軽減させる工夫をしていた。しかし、操作性の低い小型のデジタル機器では、そもそもフォルダを生成したり、フォルダ間を移動したり、或いは、データを自身のフォルダに移動したりする操作自体が大きな負担になる。このような操作負担を低減させる技術として、例えば、下記の特許文献１には、ユーザの各指に機能を割り当てておき、操作した指に応じて割り当てられた機能を実行する技術が開示されている。このように、ユーザ毎に各指に対して実行機能を割り当てることで操作負担が軽減される。
【先行技術文献】
【特許文献】
【０００５】
【特許文献１】特開２００５−２６８９５１号公報
【発明の概要】
【発明が解決しようとする課題】
【０００６】
しかしながら、上記技術を用いる場合、データを各ユーザのフォルダに振り分けるには、フォルダの移動機能が割り当てられた指でフォルダ移動操作を行い、データ移動機能が割り当てられた指でデータ移動操作を行う必要がある。もちろん、フォルダ作成機能が割り当てられた指で各ユーザがフォルダを作成する必要もある。操作負担が軽減されているとは言え、操作工程が多く、依然としてデータの振り分けに要する操作負担が大きい。また、指の本数は限られているため、割り当てられる機能の数が限られる。仮に、複数本の指の組み合わせに機能が割り当てられるとしても、その組み合わせと機能との対応関係をユーザが覚えておく必要があり、ユーザに課せられる負担は依然として大きい。
【０００７】
そこで、本発明は、上記問題に鑑みてなされたものであり、本発明の目的とするところは、より少ない操作工程で、より簡単にユーザ毎のデータを管理できるようにすることが可能な、新規かつ改良された生体認証機能付き電子機器、及びデータ管理方法を提供することにある。
【課題を解決するための手段】
【０００８】
上記課題を解決するために、本発明のある観点によれば、生体の特徴量を検出する生体認証センサと、ユーザにより所定の操作が行われる際に前記生体認証センサで検出された特徴量に基づいて当該ユーザを特定するユーザ特定部と、前記所定の操作に応じて取得されるデータを前記ユーザ特定部で特定されたユーザに対応する所定のフォルダに格納するデータ格納部と、を備える、生体認証機能付き電子機器が提供される。
【０００９】
また、上記の電子機器は、前記ユーザ特定部の特定結果に基づき、前記所定の操作が行われる際に前記生体認証センサで同じユーザの特徴量が続けて検出された回数をカウントする検出回数カウンタと、前記検出回数カウンタによる検出回数に応じて前記データが格納される所定のフォルダを選択するフォルダ選択部と、をさらに備えていてもよい。この場合、前記データ格納部は、前記フォルダ選択部で選択された所定のフォルダに前記データを格納する。
【００１０】
また、上記の電子機器は、前記生体認証センサで検出された特徴量に基づいて生体部位を特定する生体部位特定部をさらに備えていてもよい。この場合、前記フォルダ選択部は、前記検出回数カウンタによる検出回数がＮ（Ｎ≧２）の場合、前記生体認証センサでｋ（ｋ＝２，…，Ｎ）回目に検出された特徴量に基づいて前記生体部位特定部により特定された生体部位に応じて前記所定のフォルダを選択する。
【００１１】
また、前記フォルダ選択部は、前記検出回数カウンタによる検出回数がＮ（Ｎ≧２）の場合、前記生体部位特定部で順次特定されるＮ個の生体部位の組み合わせ及び並び順に応じて前記所定のフォルダを選択するように構成されていてもよい。
【００１２】
また、上記の電子機器は、個々のユーザと所定のグループとの間の対応関係を定義するグループ情報に基づいて前記ユーザ特定部で特定されたユーザに対応する前記所定のグループを選択するグループ選択部をさらに備えていてもよい。この場合、前記データ格納部は、前記所定の操作に応じて取得されたデータを前記グループ選択部で選択されたグループに対応する所定のフォルダに格納する。
【００１３】
また、上記の電子機器は、前記ユーザ特定部で特定されたユーザ以外のユーザに対応する所定のフォルダ、及び当該所定のフォルダ内のデータに対して表示制限又は操作制限を設定する制限設定部をさらに備えていてもよい。
【００１４】
また、前記データ格納部は、前記所定の操作に応じて取得されるデータを全ユーザに共通の共通フォルダに格納し、当該共通フォルダに格納したデータの情報を前記ユーザ特定部で特定されたユーザに対応する所定の仮想フォルダに対応付けるように構成されていてもよい。
【００１５】
また、前記生体の特徴量は、静脈パターン、指紋、虹彩模様のいずれか１つ又は複数の組み合わせに基づいてユーザを一意に特定することが可能な特徴量であってもよい。
【００１６】
また、上記の電子機器は、被写体像を撮影する撮像部と、前記撮像部に撮像処理を実行させるための操作ボタンと、をさらに備えていてもよい。この場合、前記ユーザ特定部は、前記操作ボタンが操作された際に前記生体認証センサで検知された特徴量に基づいて当該ユーザを特定する。そして、前記データ格納部は、前記操作ボタンの操作に応じて前記撮像部により撮影された画像のデータを前記ユーザ特定部で特定されたユーザに対応する所定のフォルダに格納する。
【００１７】
また、上記の電子機器は、コンテンツデータを取得するデータ取得部と、前記データ取得部にデータの取得処理を実行させるための操作ボタンと、をさらに備えていてもよい。この場合、前記ユーザ特定部は、前記操作ボタンが操作された際に前記生体認証センサで検知された特徴量に基づいて当該ユーザを特定する。そして、前記データ格納部は、前記操作ボタンの操作に応じて前記データ取得部により取得されたコンテンツデータを前記ユーザ特定部で特定されたユーザに対応する所定のフォルダに格納する。
【００１８】
また、上記課題を解決するために、本発明の別の観点によれば、生体の特徴量を検出する生体認証センサと、ユーザにより所定の操作が行われる際に前記生体認証センサで検出された特徴量に基づいて当該ユーザを特定するユーザ特定部と、前記所定の操作に応じて取得されるデータに前記ユーザ特定部で特定されたユーザの属性情報を付与する属性付与部と、前記属性付与部でユーザの属性情報が付与されたデータを所定のフォルダに格納するデータ格納部と、を備える、生体認証機能付き電子機器が提供される。
【００１９】
また、上記の電子機器は、前記データ及び前記所定のフォルダに関する情報を表示することが可能な表示部と、前記データの表示操作が行われる際に前記生体認証センサで検出された特徴量に基づいて前記ユーザ特定部により特定されたユーザに対応する所定のフォルダ及び当該所定のフォルダ内に格納されたデータのいずれか一方又は両方を前記表示部に表示させる表示制御部と、をさらに備えていてもよい。
【００２０】
また、上記課題を解決するために、本発明の別の観点によれば、生体の特徴量を検出する生体認証センサを利用し、ユーザにより所定の操作が行われる際に前記生体認証センサで検出された特徴量に基づいて当該ユーザを特定するユーザ特定ステップと、前記所定の操作に応じて取得されるデータを前記ユーザ特定ステップで特定されたユーザに対応する所定のフォルダに格納するデータ格納ステップと、を含む、データ管理方法が提供される。
【００２１】
また、上記課題を解決するために、本発明の別の観点によれば、生体の特徴量を検出する生体認証センサを利用し、ユーザにより所定の操作が行われる際に前記生体認証センサで検出された特徴量に基づいて当該ユーザを特定するユーザ特定ステップと、前記所定の操作に応じて取得されるデータに前記ユーザ特定ステップで特定されたユーザの属性情報を付与する属性付与ステップと、前記属性付与ステップでユーザの属性情報が付与されたデータを所定のフォルダに格納するデータ格納ステップと、を含む、データ管理方法が提供される。
【００２２】
また、上記課題を解決するために、本発明の別の観点によれば、上記の情報処理装置が有する機能をコンピュータに実現させるためのプログラムが提供されうる。さらに、このプログラムが記録されたコンピュータで読み取り可能な記録媒体が提供されうる。
【発明の効果】
【００２３】
以上説明したように本発明によれば、より少ない操作工程で、より簡単にユーザ毎のデータを管理できるようにすることが可能になる。
【図面の簡単な説明】
【００２４】
【図１】本発明の一実施形態に係る電子機器の機能構成例を示す説明図である。
【図２】同実施形態に係る生体認証センサの一構成例を示す説明図である。
【図３】同実施形態に係る電子機器の一構成例を示す説明図である。
【図４】同実施形態に係る電子機器の一構成例を示す説明図である。
【図５】同実施形態に係る生体認証センサの一構成例を示す説明図である。
【図６】同実施形態に係る生体認証センサの一構成例を示す説明図である。
【図７】同実施形態の機器で実行される全体的な処理の流れを示す説明図である。
【図８】同実施形態の機器で実行される初期処理の流れを示す説明図である。
【図９】同実施形態に係るフォルダ構造の一例を示す説明図である。
【図１０】同実施形態に係るフォルダ構造の一例を示す説明図である。
【図１１】同実施形態に係るフォルダ構造の一例を示す説明図である。
【図１２】同実施形態に係るデータ表示方法の一例を示す説明図である。
【図１３】同実施形態に係る電子機器のハードウェア構成例を示す説明図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
［説明の流れについて］
ここで、以下に記載する本発明の実施形態に関する説明の流れについて簡単に述べる。まず、図１を参照しながら、同実施形態に係る生体認証機能付き電子機器１０（以下、電子機器１０）の機能構成について説明する。この中で、図２を参照しながら、生体認証センサ１００の一構成例である静脈認証センサの構造及び動作について説明する。また、図３及び図４を参照しながら、静脈認証センサの具体的な設置例について説明する。さらに、図５及び図６を参照しながら、生体認証センサ１００に適用可能なマイクロレンズアレイの構造及び動作について説明する。
【００２７】
次いで、図７を参照しながら、同実施形態に係るデータ管理方法に関し、電子機器１０において実行される全体的な処理の流れについて説明する。次いで、図８を参照しながら、同データ管理方法において初期に実行される処理の流れについて説明する。次いで、図９〜図１１を参照しながら、同データ管理方法において構築及び利用されるフォルダ構造について説明する。次いで、図１２を参照しながら、同データ管理方法で管理されるデータの表示方法について説明する。次いで、図１３を参照しながら、電子機器１０のハードウェア構成について一例を挙げて説明する。最後に、同実施形態の技術的思想について纏め、当該技術的思想から得られる作用効果について簡単に説明する。
【００２８】
（説明項目）
１：本実施形態に係る電子機器１０の機能構成
１−１：生体認証センサ１００について
１−１−１：静脈認証センサの構成及び動作
１−１−２：静脈認証センサの実装形態
１−１−３：マイクロレンズアレイの構造
１−２：フォルダ管理方法に関する構成要素
２：本実施形態のデータ管理方法に係る処理の流れ
３：本実施形態のデータ管理方法で作成又は利用されるフォルダ構造
４：本実施形態のデータ管理方法で管理されるデータの表示方法
５：電子機器１０のハードウェア構成について
６：まとめ
【００２９】
＜実施形態＞
本発明の一実施形態について説明する。本実施形態は、所定の生体部位から取得される生体情報に基づいてユーザを判別し、ユーザ毎にデータを管理できるようにする技術に関する。例えば、当該技術は、ユーザが操作を行った際に取得された生体情報からユーザを判別し、そのユーザ操作に応じて取得されたデータを生体情報から判別されたユーザに対応するフォルダに格納する方法等に関する。以下、こうした本実施形態に係るデータ管理方法を実現することが可能な電子機器１０の機能構成について説明する。なお、電子機器１０の機能は、図１３に示すハードウェア構成を有する情報処理装置により実現される。
【００３０】
［１：電子機器１０の機能構成］
まず、図１を参照しながら、本実施形態に係る電子機器１０の機能構成について説明する。図１は、本実施形態に係る電子機器１０の機能構成例を示す説明図である。
【００３１】
図１に示すように、電子機器１０は、主に、生体認証センサ１００と、ユーザ認証部１１２と、認証情報記憶部１１４と、認証回数カウンタ１１６と、生体部位特定部１１８と、フォルダ管理部１２０とを有する。さらに、電子機器１０は、データ取得部１２２と、データ記憶部１２４と、グループ選択部１２６と、操作入力部１２８と、表示制御部１３０と、表示部１３２とを有する。なお、電子機器１０は、例えば、撮像装置、音楽プレーヤ、ＰＣ、携帯電話、携帯情報端末等の形態をとることができる。
【００３２】
（１−１：生体認証センサ１００について）
電子機器１０を利用する際、ユーザは、生体認証センサ１００を用いて所定の生体部位から取得される生体情報を入力し、生体認証を行う。生体情報としては、例えば、静脈、指紋、虹彩、顔、声紋等に現れる生体パターンが用いられる。特に、本実施形態では、個々のユーザに固有の特徴的な形状値を含む任意の生体パターンを用いることができる。
【００３３】
生体認証センサ１００は、ユーザが所定の生体部位をセンシングエリアに近接又は載置させた場合に当該生体部位から生体パターンを取得する手段である。ここで言うセンシングエリアとは、載置された生体部位から生体パターンを取得するのに好適な領域のことである。例えば、光照射手段と撮像手段との間にセンシングエリアが設けられる。この場合、センシングエリアに載置された生体部位に向けて効率的に光が照射され、生体部位を透過又は生体部位の内部で散乱した光が撮像手段に効率的に入射されるように、センシングエリアの位置が設定される。生体認証センサ１００により取得された生体パターンは、生体情報としてユーザ認証部１１２、及び生体部位特定部１１８に入力される。
【００３４】
（１−１−１：静脈認証センサの構成及び動作）
ここで、図２を参照しながら、生体認証センサ１００の一例として静脈認証センサを取り上げ、具体的に静脈認証センサの構成及び動作について説明する。図２は、静脈認証センサの主要な構成及び動作を示す説明図である。なお、図２には、静脈認証センサで取得された生体部位（指ＦＧ）の撮影画像（Ａ）、及び当該撮影画像（Ａ）に画像処理を施すことで得られる静脈画像（Ｂ）が併せて掲載されている。
【００３５】
図２に示すように、静脈認証センサは、主に、近赤外光照射光源（ＬＥＤ１０５）、及び撮像素子１０９を有する。静脈認証センサは、センシングエリア（架台等）に載置された生体部位（例えば、指ＦＧ）を撮像し、生体部位の内部に存在する静脈の撮像画像（静脈画像（Ｂ））を生成する。但し、上記のＬＥＤは、Ｌｉｇｈｔ  Ｅｍｉｔｔｉｎｇ  Ｄｉｏｄｅの略である。なお、図２の例では、近赤外光照射光源としてＬＥＤを用いているが、本実施形態の適用範囲はこれに限定されず、ＬＥＤ以外の光源を用いてもよい。
【００３６】
ＬＥＤ１０５は、センシングエリアに載置された生体部位に所定の波長帯域の近赤外光を照射する手段である。近赤外光は、身体組織に対して透過性が高い一方で、血液中のヘモグロビン（還元ヘモグロビン）に吸収され易いという特徴を有する。そのため、近赤外光を生体部位（例えば、指、手のひら、手の甲等）に照射すると、生体部位の内部に分布する静脈が影として観測される。このようにして観測される静脈の影を静脈パターンという。なお、静脈パターンは、上記の生体パターンの一例である。このような静脈パターンを良好に撮像するためには、所定の波長帯域が約６００ｎｍ〜１３００ｎｍ程度（好ましくは、７００ｎｍ〜９００ｎｍ程度）の近赤外光を用いることが好ましい。
【００３７】
例えば、ＬＥＤ１０５により照射される近赤外光の波長が６００ｎｍ未満又は１３００ｎｍ超過である場合、近赤外光が血液中のヘモグロビンに吸収される割合が小さくなり、良好な静脈パターンが得られない。逆に、ＬＥＤ１０５により照射される近赤外光の波長が７００ｎｍ〜９００ｎｍ程度である場合、近赤外光が脱酸素化ヘモグロビン及び酸素化ヘモグロビンの双方に対して特異的に吸収されることにより、良好な静脈パターンが得られる。なお、上記波長帯域を含む光を発光可能なＬＥＤ１０５と上記波長帯域を通過させる帯域通過フィルタ（非図示）とを組み合わせることで、このような波長帯域の近赤外光を照射可能な近赤外光源を容易に実現することができる。
【００３８】
上記のようにしてＬＥＤ１０５から照射された近赤外光（照射光Ｌ１１）は、指ＦＧの内部で静脈に散乱され、散乱光Ｌ１３として撮像素子１０９に入射する。そして、撮像素子１０９は、入射した散乱光Ｌ１３により撮像画像（Ａ）を生成する。撮像素子１０９としては、例えば、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）が用いられる。撮像素子１０９から出力された撮影画像（Ａ）には、図示しない画像処理部で所定の画像処理が施され、静脈画像（Ｂ）が生成される。ここで施される所定の画像処理は、例えば、エッジ検出処理、平滑化処理、２値化処理、細線化処理等である。
【００３９】
以上説明したように、静脈認証センサは、ＬＥＤ１０５により照射光Ｌ１１を指ＦＧに照射し、指ＦＧの内部を通過した散乱光Ｌ１３を撮像素子１０９で撮影し、その撮影画像（Ａ）に所定の画像処理を施すことで静脈画像（Ｂ）を生成する。このようにして生成された静脈画像（Ｂ）は、生体情報としてユーザ認証部１１２、及び生体部位特定部１１８に入力される（図１を参照）。なお、ここで示した静脈認証センサはあくまでも一例であり、本実施形態の適用範囲はこれに限定されない点に注意されたい。
【００４０】
（１−１−２：静脈認証センサの実装形態）
ここで、図３及び図４を参照しながら、静脈認証センサの実装形態について説明する。図３は、静脈認証センサを携帯電話に実装した場合の実装形態を示す説明図である。図４は、静脈認証センサを撮像装置に実装した場合の実装形態を示す説明図である。
【００４１】
（携帯電話への適用）
まず、図３を参照する。携帯電話に静脈認証センサを実装する場合、ＬＥＤ１０５を設ける位置、及び撮像素子１０９を設ける位置に工夫が必要になる。つまり、指ＦＧの内部で散乱された散乱光Ｌ１３が撮像素子１０９に入射されるように、ＬＥＤ１０５及び撮像素子１０９の位置関係を適切に決定する必要がある。携帯電話の場合、筐体自体が小型で凹凸の浅い形状であるため、ＬＥＤ１０５及び撮像素子１０９を設ける位置には回路配置やデザインの観点から制限が課せられる。
【００４２】
こうした制限をクリアするため、例えば、図３に示すように、表示部１３２の上部にＬＥＤ１０５を設け、ヒンジ部分に撮像素子１０９を設ける構成が用いられる。このような実装形態にすると、ＬＥＤ１０５から指ＦＧに照射され、指ＦＧの内部で散乱された光が効率良く撮像素子１０９に入射される。さらに、図３に例示するような位置にＬＥＤ１０５、及び撮像素子１０９が設けられることで、デザイン性を損なうことなく、静脈認証センサを携帯電話に搭載することが可能になる。
【００４３】
（撮像装置への適用）
次に、図４を参照する。図３の例では、操作入力部１２８から離れた表示部１３２の上部にセンシングエリアが設けられていた。このような設置形態の場合、ユーザは、意識して指ＦＧをセンシングエリアに載置し、静脈認証を行う必要がある。また、操作中の指ＦＧから取得される生体情報に基づいて静脈認証を行うことが難しい。そのため、操作しているユーザとは異なるユーザの指ＦＧで静脈認証が行われる可能性もある。
【００４４】
そこで、図４の例では、撮像装置を操作するユーザの指ＦＧが必ず載置される位置に静脈認証センサを設ける構成が提案されている。図４の例では、撮像装置のシャッターボタンを押下する際にユーザの指ＦＧ（又はその他の生体部位）が必ず載置される位置に静脈認証センサが設置される。図４のような実装形態にすると、ユーザが撮像操作を行う際に必ずセンシングエリアに操作ユーザの指ＦＧ等が載置されるため、静脈認証センサで取得される生体情報により撮像操作を行ったユーザを容易に特定することが可能になる。
【００４５】
以上説明したように、静脈認証センサは、実装する電子機器１０の形状や操作系統の位置関係等に基づいて実装形態が決定される。本実施形態においては、操作中のユーザを特定するために静脈認証センサで取得される生体情報を用いるため、図４に例示するような実装形態であることが好ましい。但し、本実施形態に係る電子機器１０は、図４に例示したような撮像装置に限定されるものではない。音楽プレーヤや携帯電話等においても、操作入力部１２８とセンシングエリアとの位置関係を考慮し、操作中にユーザの生体部位から生体情報を取得できる位置に静脈認証センサを設けることは可能である。そのため、本実施形態に係る技術を音楽プレーヤや携帯電話等に適用することもできる。
【００４６】
（１−１−３：マイクロレンズアレイの構造）
ここで、図５及び図６を参照しながら、静脈認証センサにマイクロレンズアレイ１０１を適用する構成について説明する。マイクロレンズアレイ１０１は、生体内部を通過した近赤外光を撮像素子１０９へと集光させるために用いられる手段である。図５及び図６に例示するようなマイクロレンズアレイ１０１を用いることで、より正確な静脈パターンを得ることができると共に、静脈認証センサのサイズを小型化することができる。図５は、マイクロレンズアレイ１０１を含む静脈認証センサの平面図である。図６は、図５をＡ−Ａ切断線で切断した断面を示す断面図である。
【００４７】
（マイクロレンズアレイ１０１の構造）
まず、マイクロレンズアレイ１０１の構造について説明する。図５に示すように、マイクロレンズアレイ１０１は、所定の基板上に格子状に配列された複数のマイクロレンズ１０３により形成されている。また、個々のマイクロレンズ１０３は、指ＦＧを透過した散乱光Ｌ１３を撮像素子１０９に導光する。マイクロレンズアレイ１０１は、像面湾曲が少なく深さ方向のひずみが少ないレンズアレイである。そのため、マイクロレンズアレイ１０１を用いることで良好な画像データを得ることができる。
【００４８】
なお、個々のマイクロレンズ１０３の焦点位置は、指ＦＧ内の静脈Ｖが存在する静脈層の位置に設定される。人体の皮膚は、表皮層、真皮層、皮下組織層の３層構造を有する。上記の静脈層は真皮層に存在する。真皮層は、指表面に対して０．１ｍｍ〜０．３ｍｍ程度の位置に２ｍｍ〜３ｍｍ程度の厚みで存在している。そこで、マイクロレンズ１０３の焦点位置は、このような真皮層の存在位置を基準にして、指表面からの距離が１．５ｍｍ〜２．０ｍｍ程度の位置になるように設定される。このような焦点位置に設定されることで、静脈層を透過した透過光を撮像素子１０９に効率良く集光することが可能になる。
【００４９】
なお、マイクロレンズアレイ１０１に配設されるマイクロレンズ１０３の個数は、図５に示した例に限定されない。マイクロレンズ１０３の個数は、例えば、撮像したい生体の大きさや撮像素子１０９の大きさに応じて適宜変更される。
【００５０】
（ＬＥＤ１０５の配置構成）
次に、ＬＥＤ１０５の配置構成について説明する。ＬＥＤ１０５は、図５に示すように、マイクロレンズアレイ１０１を挟んで対向するように一対の列を成して複数配置されている。ＬＥＤ１０５の一対の列は、図５に示すように、指ＦＧの長さ方向に面して対向するように配置されていることが好ましい。このような配置形態を採用することで、指ＦＧの上下方向から近赤外光を照射することが可能となる。なお、各列に含まれるＬＥＤ１０５の個数は、例えば、マイクロレンズアレイ１０１の大きさやＬＥＤ１０５の照射可能エリア等に応じて適宜変更される。また、マイクロレンズアレイ１０１とＬＥＤ１０５との間には指向性制御板１０７Ａが設けられる。この指向性制御板１０７Ａは、ＬＥＤ１０５から射出された直接光Ｌ１２の指向性を制御し、直接光Ｌ１２が直接的にマイクロレンズ１０３に入射しないようにする手段である。
【００５１】
（指向性制御板１０７Ｂの導光特性及び光路）
ここで、指向性制御板１０７Ｂの導光特性、及びＬＥＤ１０５から指ＦＧに照射された光の光路について説明する。
【００５２】
図６に示すように、ＬＥＤ１０５から射出された近赤外光は、指ＦＧの表面に向かって上方に伝搬し、直接光Ｌ１２として指ＦＧの内部に入射する。人体は近赤外光の良好な散乱体であるため、指ＦＧ内に入射した直接光Ｌ１２は四方に散乱される。散乱された光の一部（散乱光Ｌ１３）は、指ＦＧの背面から表面に向かって静脈Ｖが存在する静脈層を通過する。静脈Ｖを透過した散乱光Ｌ１３は、マイクロレンズアレイ１０１に入射する。互いに隣接するマイクロレンズ１０３の境界部分には、指向性制御板１０７Ｂが設けられている。そのため、指ＦＧから射出した散乱光Ｌ１３は、指向性制御板１０７Ｂにより指向性が制御され、選択的に撮像素子１０９に集光される。
【００５３】
以上説明したように、像面湾曲が少なく深さ方向のひずみが少ないマイクロレンズアレイ１０１を使用することで、静脈パターンの良好な画像データを得ることができる。本実施形態においても、このようなマイクロレンズアレイ１０１を組み合わせた静脈認証センサを用いることで認証精度をさらに向上させることが可能になる。
【００５４】
以上、生体認証センサ１００に関し、静脈認証センサを例に挙げて詳細に説明した。但し、本実施形態に係る技術の適用範囲は静脈認証技術に限定されるものではない。例えば、生体パターンを用いて認証処理を行うことが可能な任意の生体認証技術に適用可能である。しかし、静脈認証技術は、指紋認証技術や虹彩認証技術等に比べて認証精度が高い上、なりすまし等のタンパリングに対して耐性が高い。また、上記のマイクロレンズアレイ１０１を採用することで小型のデジタル機器にも容易に搭載することができる。そのため、本実施形態には様々な生体認証技術が適用できるものの、上記のような静脈認証センサを用いる方がより好ましい。
【００５５】
（１−２：フォルダ管理方法に関する構成要素）
再び図１を参照する。以下、本実施形態に係るフォルダ管理方法に関する電子機器１０の構成要素が有する機能について説明する。上記の通り、生体認証センサ１００により生体情報が取得されると、生体認証センサ１００からユーザ認証部１１２及び生体部位特定部１１８に生体情報が入力される。
【００５６】
（ユーザ認証部１１２、認証情報記憶部１１４）
まず、ユーザ認証部１１２は、生体認証センサ１００から入力された生体情報と、認証情報記憶部１１４に格納された登録済みの生体情報（以下、登録生体情報）とを照合して認証処理を実行する。認証情報記憶部１１４には、予め各ユーザが登録した生体情報が格納されている。そのため、生体情報を入力したユーザが登録ユーザである場合、ユーザ認証部１１２は、そのユーザを登録ユーザの中から特定することができる。ユーザ認証部１１２で特定された登録ユーザのユーザ情報は、認証回数カウンタ１１６、フォルダ管理部１２０、及びグループ選択部１２６に入力される。
【００５７】
（認証回数カウンタ１１６）
上記の通り、認証回数カウンタ１１６には、ユーザ認証部１１２からユーザ情報が入力される。そこで、認証回数カウンタ１１６は、入力されたユーザ情報に基づいて同じユーザが続けて認証操作を行った回数をカウントする。例えば、ある登録ユーザＵ１により第１回目の認証操作が行われると、生体認証センサ１００で取得されたユーザＵ１の生体情報がユーザ認証部１１２に入力され、ユーザＵ１が特定される。そして、認証回数カウンタ１１６には、ユーザＵ１を示すユーザ情報が入力される。
【００５８】
ユーザ情報が入力されると、認証回数カウンタ１１６は、前回入力されたユーザ情報と今回入力されたユーザ情報とを比較する。また、認証回数カウンタ１１６は、次回入力されるユーザ情報との比較処理に備えて今回入力されたユーザ情報を記憶する。そして、認証回数カウンタ１１６は、比較処理の結果、同一であると判定した場合にカウンタをインクリメントし、相違すると判定した場合にカウンタを１にリセットする。上記の例では、ユーザＵ１による認証操作が第１回目であるから、認証回数カウンタ１１６は、カウンタを１にリセットする。
【００５９】
例えば、ユーザＵ１により続けて第２回目の認証操作が行われた場合、生体認証センサ１００から生体情報がユーザ認証部１１２に入力され、ユーザ認証部１１２からユーザＵ１のユーザ情報が認証回数カウンタ１１６に入力される。この場合、認証回数カウンタ１１６は、ユーザＵ１が第１回目に認証操作を行った際にユーザＵ１のユーザ情報を前回入力されたユーザ情報として記憶している。そのため、認証回数カウンタ１１６は、前回入力されたユーザ情報と今回入力されたユーザ情報とが同一であると判定し、カウンタをインクリメントする。つまり、この時点におけるカウンタは２である。
【００６０】
その後、ユーザＵ１とは異なる登録ユーザＵ２が認証操作を行うと、認証回数カウンタ１１６にはユーザＵ２のユーザ情報が入力される。このとき、認証回数カウンタ１１６は、前回入力されたユーザ情報としてユーザＵ１のユーザ情報を記憶している。そのため、認証回数カウンタ１１６は、前回入力されたユーザ情報と今回入力されたユーザＵ２のユーザ情報とが異なると判定し、カウンタを１にリセットする。このようなカウント処理により、同じユーザが続けて認証操作を行った回数をカウントすることができる。そして、認証回数カウンタ１１６でカウントされた同一ユーザの認証回数に関するカウント値は、生体部位特定部１１８、及びフォルダ管理部１２０に入力される。
【００６１】
（生体部位特定部１１８）
上記の通り、生体部位特定部１１８には、生体認証センサ１００から生体情報が入力され、認証回数カウンタ１１６から認証回数が入力される。そこで、生体部位特定部１１８は、入力された認証回数が２以上である場合、入力された生体情報に基づいて生体情報の入力に用いた生体部位を特定する。例えば、生体認証センサ１００で検出可能な生体部位が指である場合、生体部位特定部１１８は、複数の指に関する特徴量を保持しておき、生体認証センサ１００から入力された生体情報がどの指のものであるかを特定する。なお、生体部位の特徴量は、認証情報記憶部１１４に格納されていてもよい。
【００６２】
生体部位特定部１１８により特定可能な生体部位の種類としては、上記の例で挙げた（１）指の種類、（２）手の甲と手のひらの区別、（３）右目と左目の区別等がある。生体認証センサ１００で取得される生体情報が指紋パターンである場合、上記（１）を用いることができる。また、生体情報が静脈パターンである場合、上記（１）に加え、上記（２）を用いることができる。そして、生体情報が虹彩パターンである場合、上記（３）を用いることができる。このように、生体認証センサ１００で取得される生体パターンの種類に応じて、判別可能な生体部位の種類は適宜変更されうる。
【００６３】
また、複数種類の生体情報を同時に取得可能な生体認証センサ１００を利用すれば、ユーザ認証部１１２でユーザ認証に用いる生体情報とは異なる生体情報に基づいて生体部位を特定することもできる。例えば、静脈パターンと指紋パターンとを同時に取得可能な生体認証センサ１００を利用した場合、静脈パターンでユーザ認証を行い、指紋パターンで指の種類を特定するといった構成にすることができる。このようにして生体部位特定部１１８により特定された生体部位の情報（以下、部位情報）は、フォルダ管理部１２０に入力される。なお、以下の説明において、同一ユーザが続けてＮ回（Ｎ≧２）の認証操作を行った場合の２度目以降の認証操作のことを第２次認証と呼ぶ場合がある。
【００６４】
（フォルダ管理部１２０、データ記憶部１２４）
上記の通り、フォルダ管理部１２０には、ユーザ認証部１１２からユーザ情報が入力され、認証回数カウンタ１１６から認証回数が入力され、生体部位特定部１１８から部位情報が入力される。フォルダ管理部１２０は、入力された認証回数及び部位情報に応じてデータが格納されるフォルダを変更したり、データ記憶部１２４にフォルダを生成したりする。さらに、フォルダ管理部１２０は、入力された認証回数及び部位情報に応じてデータ記憶部１２４に生成したフォルダの一部又は全部にアクセス制限を設定したり、解除したりする。また、フォルダ管理部１２０は、表示制御部１３０に認証回数及び部位情報を入力し、フォルダ管理と表示制御とを連動させるように構成されていてもよい。
【００６５】
また、フォルダ管理部１２０は、認証回数と部位情報とを対応付けて保持しておくことができる。この場合、ｋ回目（ｋ＝２，…，Ｎ；Ｎは、同一ユーザにより続けて認証操作が行われた回数）の認証操作が行われた際に特定された生体部位の情報が保持される。さらに、同一ユーザが続けてＮ回の認証操作を行った場合に、生体部位特定部１１８により順次特定された生体部位の組み合わせ、及び特定された順番の情報が保持される。これらの情報を用いると、フォルダ管理部１２０は、順次入力された生体部位の組み合わせ及び入力順序の情報に基づいて下位階層のフォルダを生成したり、下位階層のフォルダに対するアクセス制限又は解除の設定処理を実行したりすることができる。
【００６６】
例えば、ユーザＵ１により第１回目の認証操作が行われた場合、フォルダ管理部１２０には、ユーザ認証部１１２からユーザＵ１を示すユーザ情報が入力され、認証回数カウンタ１１６から認証回数＝１が入力される。この場合、フォルダ管理部１２０は、ユーザ認証部１１２から入力されたユーザ情報に基づき、データ取得部１２２によるデータの格納先をユーザＵ１のルートフォルダに移動させる。ここで言うルートフォルダとは、ユーザＵ１に割り当てられたフォルダの最上位階層に位置するフォルダである。また、フォルダ管理部１２０は、ユーザＵ１のフォルダに設定されたアクセス制限を解除すると共に、他ユーザのフォルダにアクセス制限を設定する。
【００６７】
なお、予めアクセス権が設定されている場合、フォルダ管理部１２０は、ユーザ認証部１１２から入力されたユーザ情報により特定されるユーザに対してアクセス権が付与されたフォルダのアクセス制限を解除する。アクセス権の設定情報は、例えば、フォルダ管理部１２０が保持するアクセス権設定ファイルに記録されている。アクセス権の種類としては、各ユーザのフォルダに対する読み込み許可の有無及び書き込み許可の有無がある。従って、アクセス権設定ファイルには、アクセスするユーザと、各ユーザのフォルダと、読み込み許可の有無及び書き込み許可の有無とが対応付けて記載されている。フォルダ管理部１２０は、ユーザ認証部１１２からユーザ情報が入力された際に上記のアクセス権設定ファイルを参照し、各ユーザのフォルダに対するアクセス制限を設定する。
【００６８】
次いで、ユーザＵ１により第２回目の認証操作（第２次認証）が行われた場合、フォルダ管理部１２０には、ユーザ認証部１１２からユーザＵ１を示すユーザ情報が入力され、認証回数カウンタ１１６から認証回数＝２が入力される。さらに、フォルダ管理部１２０には、生体部位特定部１１８から部位情報が入力される。これらの情報が入力されると、フォルダ管理部１２０は、例えば、ユーザＵ１のルートフォルダの下位階層に部位情報に対応するフォルダを生成したり、当該部位情報に対応する下位階層のフォルダにデータの格納先を移動させたりする。例えば、生体部位にデータのジャンルが対応付けられている場合、部位情報に対応するジャンルが選択され、そのジャンルに対応するフォルダがルートフォルダの下位階層に生成される。
【００６９】
部位情報とフォルダ属性（例えば、ジャンル等）との対応関係は、フォルダ管理部１２０が保持するフォルダ属性ファイルに記載されている。フォルダ属性ファイルには、例えば、「親指」に対して「ロック」、「中指」に対して「ポップス」、「薬指」に対して「クラシック」等が対応付けて記載されている。この例は音楽データに関するものであるが、画像データに関するものである場合、例えば、「手のひら」に対して「個人撮影」、「手の甲」に対して「グループ撮影」等が対応付けて記載されている。従って、ユーザＵ１が「手のひら」で第２回目の認証操作を行った場合、フォルダ管理部１２０は、フォルダ属性ファイルを参照し、ルートフォルダの下位階層に「個人撮影」フォルダを生成し、データの格納先を「個人撮影」フォルダに移動させる。但し、「個人撮影」フォルダが既に存在する場合、フォルダ管理部１２０は、データ格納先の移動処理のみを実行する。
【００７０】
次いで、ユーザＵ１により第３回目の認証操作（第２次認証）が行われた場合、フォルダ管理部１２０には、ユーザ認証部１１２からユーザＵ１を示すユーザ情報が入力され、認証回数カウンタ１１６から認証回数＝３が入力される。さらに、フォルダ管理部１２０には、生体部位特定部１１８から部位情報が入力される。これらの情報が入力されると、フォルダ管理部１２０は、例えば、ユーザＵ１のルートフォルダの下位階層に部位情報に対応するフォルダを生成したり、当該部位情報に対応する下位階層のフォルダにデータの格納先を移動させたりする。例えば、生体部位にデータのジャンルが対応付けられている場合、部位情報に対応するジャンルが選択され、そのジャンルに対応するフォルダがルートフォルダの下位階層に生成される。
【００７１】
但し、第３回目の認証操作が行われる時点で、フォルダ管理部１２０は、第２回目の認証操作時に取得された部位情報を保持している。そのため、フォルダ管理部１２０は、第２回目及び第３回目の認証操作時に取得された２つの部位情報に基づいてルートフォルダの下位階層に生成するフォルダ属性を決定することができる。例えば、第２回目の部位情報が「親指」、第３回目の部位情報が「中指」である場合、生体部位の組み合わせ「親指」＋「中指」、及び並び順（第２回目、第３回目）＝（「親指」、「中指」）の情報をフォルダ属性の決定基準に用いることができる。どちらを決定基準に用いるかは、各ユーザにより予め設定されるか、或いは、電子機器１０の提供者により予め設定される。
【００７２】
なお、フォルダ属性の決定処理は、フォルダ管理部１２０が保持するフォルダ属性ファイルに基づいて実行される。そして、フォルダ属性ファイルには、各生体部位の組み合わせの情報と各フォルダ属性とが対応付けて記載されているか、並び順も含む各生体部位の組み合わせの情報と各フォルダ属性とが対応付けて記載されている。例えば、フォルダ属性ファイルには、「親指」＋「中指」に対して「男性ボーカル」、「中指」＋「薬指」に対して「女性ボーカル」等が対応付けて記載されている。この例は組み合わせに関するものであるが、並び順も含む組み合わせに関するものである場合、例えば、（第２回目、第３回目＝（「手のひら」、「手の甲」）に対して「家族」、（「手の甲」、「手のひら」）に対して「友人」等が対応付けて記載されている。
【００７３】
また、第３回目以降の認証操作に応じて生成されるフォルダは、第２回目の認証操作に応じて生成及び移動されたフォルダの下位階層に生成されるように構成されていてもよい。この場合、フォルダ管理部１２０は、第３回目の認証操作に応じて決定されたフォルダ属性のフォルダを第２回目の認証操作で生成又は移動されたフォルダの下位階層に生成し、そのフォルダにデータの格納先を移動させる。但し、第３回目の認証操作に応じて決定されたフォルダ属性のフォルダが既に存在する場合、フォルダ管理部１２０は、データ格納先の移動処理のみを実行する。
【００７４】
なお、第４回目以降の認証操作が行われた場合についても、上記第３回目の認証操作に応じて実行される処理と同様にフォルダ生成処理及びフォルダ移動処理が実行される。但し、第４回目以降は、第３回目よりも生体部位の組み合わせ又は並び順を含む組み合わせが複雑になる。そこで、フォルダ管理部１２０は、各回の認証操作に応じてフォルダ操作を行った後、次回の認証操作で各生体部位が用いられた場合に実行される処理（フォルダ属性）のリストを表示部１３２に表示させるように構成されていてもよい。このような構成にすることで、ユーザが生体部位の組み合わせとフォルダ属性との対応関係を記憶せずに済むため、ユーザの負担を軽減させることができる。
【００７５】
以上説明したように、フォルダ管理部１２０は、ユーザ情報、認証回数、部位情報に基づいてフォルダの生成処理及びデータの格納先となるフォルダの移動処理を実行する。なお、各登録ユーザのルートフォルダについては、ユーザ登録が行われた際にフォルダ管理部１２０により自動的に生成される。また、グループが登録される場合、グループ登録が行われた際にフォルダ管理部１２０により自動的にグループ用フォルダが設定される。例えば、「家族」グループが登録された場合、フォルダ管理部１２０は、各ユーザのルートフォルダと同じ階層に「家族」グループのフォルダを自動生成する。このような構成にすることで、ユーザは、操作入力部１２８を用いずとも容易に所望のフォルダを生成したり、所望のフォルダにデータを記録することが可能になる。
【００７６】
なお、ここではフォルダ管理部１２０の機能としてフォルダの生成処理及びデータ格納先の移動処理が主に説明された。しかし、フォルダ管理部１２０は、ユーザ情報、認証回数、部位情報に基づいてフォルダの削除、アクセス権の設定、データの移動等の処理を実行するように構成されていてもよい。例えば、第２回目の認証操作が行われた場合に、第１回目の認証操作に応じて移動した先のフォルダに関するアクセス権が設定されるように構成されていてもよい。このような構成にすることで、一連の認証操作でアクセス権の設定までを完了させることができるため、ユーザの操作工程を低減させることができる。
【００７７】
（データ取得部１２２、データ記憶部１２４、操作入力部１２８）
次に、データ取得部１２２について説明する。データ取得部１２２は、データを取得し、取得したデータをデータ記憶部１２４に格納する手段である。上記の通り、データ取得部１２２には、フォルダ管理部１２０からデータの格納先を示すフォルダ情報が入力される。そこで、データ取得部１２２は、フォルダ管理部１２０から入力されたフォルダ情報が示すデータ記憶部１２４のフォルダにデータを格納する。なお、データ取得部１２２は、ユーザにより操作入力部１２８を介して入力されたデータ取得要求に応じてデータを取得し、取得したデータをデータ記憶部１２４に格納する。
【００７８】
例えば、電子機器１０が撮像装置である場合、データ取得部１２２は撮像手段であり、操作入力部１２８はシャッターボタンや各種操作ボタン等である。この場合、データ取得部１２２は、光学系を通じて取得される被写体像を画像データとして取得し、データ記憶部１２４に格納する。つまり、データ取得部１２２は、光学系を通じて被写体に反射した光を取得し、光電変換素子を用いて電気信号に変換した上で、Ａ／Ｄ変換素子を用いてデジタルデータとして画像データを取得する。また、電子機器１０が音楽プレーヤである場合、データ取得部１２２は、外部機器又はネットワークを通じて音楽データを取得し、データ記憶部１２４に格納する。さらに、電子機器１０がＰＣや携帯電話等である場合、データ取得部１２２は、無線又は有線のネットワーク等を通じて画像データ、音楽データ、テキストデータ、アプリケーションデータ等を取得し、データ記憶部１２４に格納する。
【００７９】
（グループ選択部１２６、データ取得部１２２）
次に、グループ選択部１２６について説明する。上記の通り、グループ選択部１２６には、ユーザ認証部１１２からユーザ情報が入力される。登録されたグループが存在する場合、グループ選択部１２６は、入力されたユーザ情報が示すユーザの所属グループを選択する。そのため、グループ選択部１２６は、各登録ユーザが属する登録グループの情報が記載されたグループ登録ファイルを保持している。グループ登録ファイルには、例えば、ユーザＵ１に対して「家族」グループ、ユーザＵ２に対して「友人」グループが対応付けて記載されている。そのため、ユーザ認証部１１２から入力されたユーザ情報がユーザＵ１のものである場合、グループ選択部１２６は、ユーザＵ１の所属グループとして「家族」グループを選択する。グループ選択部１２６で選択されたグループの情報は、データ取得部１２２に入力される。
【００８０】
なお、グループが登録された際、データ記憶部１２４には、フォルダ管理部１２０により登録グループのフォルダが生成されている。そこで、グループ選択部１２６からグループ情報が入力されると、データ取得部１２２は、グループ情報が示す登録グループのフォルダに取得したデータを格納する。また、個人用フォルダ及びグループ用フォルダの両方にデータを格納するように設定されている場合、データ取得部１２２は、グループ情報が示す登録グループのフォルダ、及びフォルダ管理部１２０が指定するフォルダにデータを格納する。格納フォルダに関する上記の設定は、例えば、ユーザ毎に予め設定され、データ取得部１２２により設定情報が保持される。
【００８１】
（表示制御部１３０、表示部１３２）
次に、表示制御部１３０について説明する。表示制御部１３０は、ユーザの操作入力に用いるユーザインターフェースやデータ記憶部１２４に格納されたデータ及びフォルダを表示部１３２に表示する手段である。また、表示制御部１３０には、フォルダ管理部１２０を介して部位情報や認証回数等の情報が入力される。そして、表示制御部１３０は、これらの情報に応じてユーザインターフェースとして表示されるメニュー項目の構成、データやフォルダ等の表示方法を変更する。
【００８２】
さらに、フォルダ管理部１２０によりフォルダやメニュー項目へのアクセス制限が課せられた場合、表示制御部１３０は、アクセス制限が課せられたフォルダやメニュー項目を非表示にしたり、所定の色彩で表示させたりする。表示部１３２は、表示制御部１３０による制御を受け、画面上にユーザインターフェースを表示したり、データやフォルダ等を表示する。なお、表示部１３２にタッチパネルを用いる場合、表示部１３２と操作入力部１２８とは一体の表示入力デバイスとして構成される。
【００８３】
以上、本実施形態に係る電子機器１０の機能構成について説明した。上記の通り、本実施形態に係る電子機器１０は、ユーザの生体情報に基づいてフォルダ管理を行い、データを各ユーザに対応するフォルダに自動振り分けする機能を有する。また、本実施形態に係る電子機器１０は、第２次認証の操作に応じて様々なフォルダ属性を有するフォルダを自動生成し、これらのフォルダに自動振り分けする機能を有する。このように、フォルダの自動生成及び自動移動が行われることで、ユーザの操作工程が低減されると共に、ユーザ毎、グループ毎、ジャンル毎にユーザが所望するデータの分類格納を実現することが可能になる。
【００８４】
（読み出し処理への応用）
なお、上記の説明においては、本実施形態に係る電子機器１０によりデータを分類格納する構成が示された。しかし、本実施形態に係る電子機器１０の技術は、データを読み出す方法にも応用することができる。例えば、データを読み出す際、電子機器１０のフォルダ管理部１２０は、生体認証センサ１００にて取得された生体情報に基づいてユーザを特定し、データの読み出し先を特定したユーザのフォルダに移動させる。
【００８５】
また、第２次認証が行われた場合、フォルダ管理部１２０は、データを分類格納する際に生成又は移動したフォルダと同じフォルダにデータの読み出し先を移動させる。さらに、データを読み出す際、フォルダ管理部１２０は、ユーザ情報、認証回数、部位情報に基づいて各フォルダのアクセス権を設定し、データを読み出し可能なフォルダを制限する。このような構成にすることで、データを読み出す際にも自動的に所望のフォルダに移動することが可能になり、ユーザの操作工程を低減させ、所望のデータを検索する際に生じるユーザの操作負担を軽減させることができる。
【００８６】
［２：データ管理方法に係る処理の流れ］
ここで、図７及び図８を参照しながら、本実施形態のデータ管理方法に係る処理の流れについて説明する。このデータ管理方法は、図１に示した電子機器１０により実現されるものである。図７は、本実施形態のデータ管理方法に係る処理の全体的な流れを示す説明図である。図８は、本実施形態のデータ管理方法に係る処理の初期処理に関する流れを示す説明図である。
【００８７】
（全体的な流れ）
まず、図７を参照する。図７に示すように、まず、生体認証センサ１００により生体情報が取得されると、ユーザ認証部１１２によりユーザが特定される（Ｓ１０２）。次いで、電子機器１０は、ユーザ認証部１１２で特定されたユーザのユーザ専用モードに動作モードを切り替える（Ｓ１０４）。ここで言うユーザ専用モードとは、ユーザ毎に設定された動作モードである。例えば、ユーザＵ１のユーザ専用モードに切り替わると、ユーザインターフェースの表示設定や各生体部位とフォルダ属性との対応関係等の設定情報がユーザＵ１により設定されたものに切り替わる。
【００８８】
電子機器１０が撮像装置である場合、ユーザＵ１のユーザ専用モードに切り替わると、オートフォーカスの有効／無効や記録フォーマットの種類等、撮像機構に関する設定値がユーザＵ１により設定されたものに切り替わる。一方、電子機器１０が音楽プレーヤである場合、ユーザＵ１のユーザ専用モードに切り替わると、音量や音響効果等の音響機構に関する設定値がユーザＵ１により設定されたものに切り替わる。
【００８９】
次いで、電子機器１０（フォルダ管理部１２０）は、ユーザ認証部１１２で特定されたユーザのユーザ専用フォルダにデータの保存先を移動させる（Ｓ１０６）。その後、同じユーザが続けて生体情報を入力し、第２次認証が行われた場合、電子機器１０（生体部位特定部１１８、フォルダ管理部１２０）は、第２次認証の際に用いられた生体部位を特定し、特定した生体部位に対応するジャンルを決定する（Ｓ１０８）。ここではフォルダ属性の一例としてジャンルを挙げているが、例えば、グループの種類等が特定されることもある。次いで、電子機器１０（フォルダ管理部１２０）は、第２次認証により特定された生体部位（指）に対応するフォルダにデータの格納先を移動させる（Ｓ１１０）。
【００９０】
次いで、電子機器１０（フォルダ管理部１２０）は、ユーザ認証部１１２で特定されたユーザに対するプライバシー設定を行う（Ｓ１１２）。ここで言うプライバシー設定とは、例えば、データ記憶部１２４に作成されたフォルダにアクセス制限を付加することや、表示部１３２に表示されるメニュー項目、フォルダ、データ等の一部を非表示にさせることを意味する。例えば、ユーザ認証部１１２で特定されたユーザ以外のユーザに対応するフォルダに対してアクセス制限が課せられたり、当該フォルダを表示部１３２に表示させないように表示制限が課せられたりする。このようにしてプライバシー設定が完了すると、電子機器１０は、一連の処理を終了する。
【００９１】
以上説明したように、本実施形態に係るデータ管理方法においては、生体認証情報に基づいてデータの格納先が移動されたり、フォルダにジャンルが設定されたりする。そのため、ユーザがフォルダ作成操作やデータの移動操作等を行わずとも、自身のフォルダに自動的にデータが格納される。その結果、データの管理が容易に行えるようになる。また、生体認証の結果に基づいて各ユーザのフォルダにプライバシー設定が施されるため、面倒な操作を行うことなく、各ユーザのプライバシーが確保される。
【００９２】
（初期処理の流れ）
次に、図８を参照する。図７に例示した全体的な処理は、主にフォルダの移動に関するものであった。このようなフォルダの移動処理は、データ記憶部１２４に適切なフォルダが生成されていて初めて実現されるものである。本実施形態においては、フォルダの生成についても自動処理により実現されるため、図８を参照しながら、フォルダの生成処理を含む初期処理について説明する。
【００９３】
図８に示すように、まず、生体情報が登録される（Ｓ１２２）。ステップＳ１２２では、各ユーザにより生体情報が登録される。このとき、生体情報と共にユーザの名前や写真等のユーザ情報が登録されてもよい。ここで登録された生体情報は、認証情報記憶部１１４に格納される。なお、生体情報としては、例えば、指紋や静脈パターン等、生体認証センサ１００にて取得可能な生体パターンが登録される。また、ステップＳ１２２の段階で、各ユーザは、生体認証センサ１００にて取得可能であり、生体部位特定部１１８にて特定可能な複数の生体部位を登録しておくことができる。このようにして登録された生体部位の情報についても、認証情報記憶部１１４又は生体部位特定部１１８にて保持される。
【００９４】
次いで、ユーザ専用フォルダが作成される（Ｓ１２４）。ステップＳ１２４の処理は、フォルダ管理部１２０により実現される。ステップＳ１２２でユーザが生体情報と共に登録されると、ユーザに割り当てられるフォルダがデータ記憶部１２４に自動生成される。次いで、ユーザ専用設定ファイルが自動作成される（Ｓ１２６）。ここで言うユーザ専用設定ファイルとは、ユーザ毎の設定情報を保存するためのファイルである。ユーザ専用設定ファイルには、ユーザ専用モード等に関する情報が記載される。
【００９５】
次いで、ジャンル別フォルダが自動作成される（Ｓ１２８）。ステップＳ１２２において登録された複数種類の生体部位に各々ジャンルが対応付けられると、各ジャンルに対応するフォルダがデータ記憶部１２４に自動作成される。例えば、ユーザＵ１の各指にジャンルが登録された場合、ユーザＵ１のユーザ専用フォルダの下位階層に各ジャンルのフォルダが自動生成される。次いで、第２次認証の設定が行われる（Ｓ１３０）。ステップＳ１３０では、ステップＳ１２８で生成された各ジャンル別フォルダと、第２次認証の方法とが対応付けられる。
【００９６】
既に述べた通り、フォルダ管理部１２０は、第２次認証により取得された認証回数及び部位情報に基づいてジャンル別フォルダを選択する。このとき、ステップＳ１３０で対応付けられたジャンル別フォルダと第２次認証の方法との対応関係が参照される。例えば、第２回目の認証操作で「親指」、第３回目の認証操作で「小指」という方法がジャンル「クラシック」に対応付けられていた場合、この方法が実行されると、フォルダ管理部１２０は、「クラシック」に対応するジャンル別フォルダに移動させる。
【００９７】
このようにして第２次認証の設定が完了すると、電子機器１０は、プライバシー設定ファイルを作成する（Ｓ１３２）。ステップＳ１３２では、読み込み禁止又は書き込み可能なメンバーを定義するプライバシー設定ファイルが作成される。フォルダ管理部１２０は、ステップＳ１３２で作成されたプライバシー設定ファイルを参照してデータ記憶部１２４に作成された各フォルダ及びデータへのアクセス制御を行う。これら一連の処理が終了すると、電子機器１０は、初期処理を終了する。この時点で、ユーザ専用フォルダ及びジャンル別フォルダが自動作成されている。また、グループ設定等が行われる場合、グループの登録及び登録グループのフォルダ作成処理が初期処理に含まれる。
【００９８】
以上説明したように、ユーザの登録時点で生体情報が登録され、生体情報の登録と共にユーザのフォルダが自動生成される。さらに、ユーザが生体部位を登録し、登録した生体部位にジャンルが登録された時点でジャンル別フォルダが自動生成される。そして、第２次認証の方法とジャンル別フォルダとが対応付けられることでフォルダの移動規則が決定される。このような初期処理が行われることで、図７に例示したような所望のフォルダへの自動移動やデータの振り分け処理が可能になる。その結果、ユーザは少ない操作工程で簡単にデータを整理することが可能になり、データを利用する際にもユーザの作業負担を大きく軽減させることが可能になる。
【００９９】
［３：フォルダ構造について］
ここで、図９〜図１１を参照しながら、本実施形態に係るデータ管理方法において作成又は利用されるフォルダ構造について説明する。図９は、ユーザ毎、ジャンル毎にフォルダが作成された場合のフォルダ構造の一例を示す説明図である。図１０は、ユーザ毎、グループ毎にフォルダが作成された場合のフォルダ構造の一例を示す説明図である。図１１は、仮想フォルダを用いてデータを分類格納する場合のフォルダ構造の一例を示す説明図である。
【０１００】
（ユーザ毎及びジャンル毎の分類）
まず、図９を参照する。図９に示すように、本実施形態においては、生体情報等が登録される際、ユーザ毎及びジャンル毎にフォルダが作成される。データ記憶部１２４のフォルダ構造は、最上位階層にルートフォルダＲＦが存在し、その下の階層にユーザ毎のフォルダが生成される。例えば、ユーザ１が生体情報を登録すると、登録時にユーザ１用フォルダＦ１１が自動作成される。また、ユーザ２が生体情報を登録すると、登録時にユーザ２用フォルダＦ２１が自動作成される。
【０１０１】
その後、ユーザ１により生体部位が登録され、ある生体部位にジャンル１が対応付けられると、ジャンル１用フォルダＦ１２がユーザ１用フォルダＦ１１の下位階層に自動作成される。例えば、ユーザ１により生体認証が行われると、ユーザ認証部１１２でユーザ１が特定され、フォルダ管理部１２０によりデータの格納先がユーザ１用フォルダＦ１１に移動される。さらに、ユーザ１により操作入力部１２８が操作され、データ取得部１２２によりデータＤ１が取得されると、データＤ１がユーザ１用フォルダＦ１１に格納される。
【０１０２】
また、ユーザ１により登録済みの生体部位で第２次認証が行われると、生体部位特定部１１８により生体部位及びジャンル１が特定され、フォルダ管理部１２０によりデータの格納先がジャンル１用フォルダＦ１２に移動される。さらに、ユーザ１により操作入力部１２８が操作され、データ取得部１２２によりデータＤ２が取得されると、データＤ２がジャンル１用フォルダＦ１２に格納される。
【０１０３】
同様に、ユーザ２により生体部位が登録され、ある生体部位にジャンル２が対応付けられると、ジャンル２用フォルダＦ２２がユーザ２用フォルダＦ２１の下位階層に自動作成される。例えば、ユーザ２により生体認証が行われると、ユーザ認証部１１２でユーザ２が特定され、フォルダ管理部１２０によりデータの格納先がユーザ２用フォルダＦ２１に移動される。
【０１０４】
さらに、ユーザ２により登録済みの生体部位で第２次認証が行われると、生体部位特定部１１８により生体部位及びジャンル２が特定され、フォルダ管理部１２０によりデータの格納先がジャンル２用フォルダＦ２２に移動される。さらに、ユーザ２により操作入力部１２８が操作され、データ取得部１２２によりデータＤ５が取得されると、データＤ５がジャンル２用フォルダＦ２２に格納される。
【０１０５】
以上説明したように、電子機器１０により各ユーザのユーザ専用フォルダ、及び各ジャンル専用フォルダが自動生成され、ユーザの認証情報に基づいてデータが各フォルダに振り分けられる。上記の通り、この振り分け処理についても、各ユーザの生体認証結果に基づいて実行されるため、ユーザには操作工程の多い複雑な操作が要求されない。
【０１０６】
（グループに分類する場合）
次に、図１０を参照する。既に説明した通り、本実施形態においては、グループを登録し、登録グループにユーザを所属されることが可能である。また、上記の電子機器１０は、生体認証により特定されたユーザの所属グループを選択し、当該ユーザの操作に応じて取得されたデータを所属グループのフォルダに振り分けることもできる。このようなグループ設定がされている場合、図１０に例示したようなフォルダ構造が自動作成される。
【０１０７】
この場合、データ記憶部１２４のフォルダ構造は、最上位階層にルートフォルダＲＦが存在し、その下の階層にユーザ毎のフォルダが生成される。例えば、ユーザ１が生体情報を登録すると、登録時にユーザ１用フォルダＵＦ１が自動作成される。また、グループ１が登録されると、登録時にグループ１用フォルダＧＦ１が自動生成される。ここでは、例えば、グループ１がユーザ１の所属グループであると仮定する。
【０１０８】
この場合、ユーザ１により生体認証が行われると、ユーザ認証部１１２でユーザ１が特定され、フォルダ管理部１２０によりデータの格納先がユーザ１用フォルダＵＦ１に移動される。さらに、ユーザ１により操作入力部１２８が操作され、データ取得部１２２によりデータＤ１が取得されると、データＤ１がユーザ１用フォルダＵＦ１に格納される。このとき、グループ選択部１２６によりユーザ１の所属グループとしてグループ１が選択され、データ取得部１２２によりグループ１用フォルダにもデータＤ１が格納される。その結果、グループ１用フォルダＧＦ１及びユーザ１用フォルダＵＦ１にデータＤ１が格納される。
【０１０９】
但し、グループ１用フォルダＧＦ１だけ、又はユーザ１用フォルダＵＦ１だけにデータを格納するように設定されている場合、データ取得部１２２は、設定に基づいてデータの格納先を決定する。このように、グループ用フォルダとユーザ用フォルダとを分け、データの格納先を個別に設定することで、プライバシー設定のバリエーションを増やしたり、データ参照時の検索性を向上させることができる。
【０１１０】
（仮想フォルダで分類する場合：拡張１）
次に、図１０を参照する。これまでの説明においては、データ記憶部１２４に作成される実フォルダの管理方法を想定していた。しかし、本実施形態に係る技術は、仮想フォルダを用いたデータ管理方法に拡張することができる。ここで言う仮想フォルダとは、実際にデータが格納される実フォルダとは異なり、データの参照先（以下、ポインタ）が対応付けられるインデックスを意味する。
【０１１１】
図１０の例では、データ記憶部１２４にユーザ１用仮想フォルダＶＦ１が設けられており、データＤ１、データＤ４のポインタ（データＤ１（Ｐ）、データＤ４（Ｐ））が対応付けられている。但し、実際のデータＤ１、Ｄ４は、ルートフォルダＲＦに格納されている。この場合、電子機器１０は、ユーザ１のフォルダとしてユーザ１用仮想フォルダＶＦ１を表示したり、データＤ１（Ｐ）、データＤ４（Ｐ）を参照して実際のデータＤ１、データＤ４を表示したりすることができる。つまり、電子機器１０の内部では仮想フォルダを用いてデータを管理しているものの、ユーザには実フォルダを用いてデータを管理するのと同じようにフォルダやデータ等が表示される。
【０１１２】
このような仮想フォルダを用いる場合、電子機器１０の機能構成（図１を参照）は次のように変更される。上記の通り、フォルダ管理部１２０は、ユーザ認証部１１２から入力されたユーザ情報、認証回数カウンタ１１６から入力された認証回数、及び生体部位特定部１１８から入力された部位情報に基づいてフォルダを管理する。例えば、ユーザ１が生体情報を登録した際、フォルダ管理部１２０は、データ記憶部１２４にユーザ１用のフォルダ（実フォルダ）を自動作成するように構成されていた。しかし、仮想フォルダを用いる場合、フォルダ管理部１２０は、ユーザ１が生体情報を登録した際、ユーザ１用仮想フォルダＶＦ１を生成するように構成が変更される。
【０１１３】
また、フォルダ管理部１２０は、ユーザ１が第１回目の認証操作を行った際、ユーザ認証部１１２で特定されたユーザ情報に基づいてユーザ１のフォルダにデータの格納先を移動させるように構成されていた。しかし、仮想フォルダを用いる場合、フォルダ管理部１２０は、データの格納先を所定のフォルダ（例えば、ルートフォルダＲＦ）から移動しないように構成が変更される。但し、フォルダ管理部１２０は、ユーザ１が第１回目の認証操作を行った際、ユーザ認証部１１２で特定されたユーザ情報に基づいてユーザ１用仮想フォルダＶＦ１にデータ取得部１２２で取得されたデータのポインタを生成させる。
【０１１４】
そのため、フォルダ管理部１２０は、ユーザ１により第１回目の認証操作が行われ、ユーザ１のユーザ情報が入力されると、データ取得部１２２に対してユーザ１用仮想フォルダＶＦ１の情報を入力する。ユーザ１用仮想フォルダＶＦ１の情報が入力されると、データ取得部１２２は、取得したデータをデータ記憶部１２４に存在する所定のフォルダに格納し、さらに、そのデータのポインタをユーザ１用仮想フォルダＶＦ１に対応付ける。さらに、ユーザ２により第１回目の認証操作が行われた場合、上記と同様の処理が実行され、データ記憶部１２４には、図１０に例示したようなフォルダ構造が形成される。
【０１１５】
なお、図１０の例には、グループ用の仮想フォルダや、ユーザ用仮想フォルダの下位階層に生成されるジャンル別仮想フォルダが示されていないが、これらについても同様である。例えば、ユーザ１により「親指」で第２回目の認証操作が行われると、フォルダ管理部１２０には、ユーザ情報＝ユーザ１、認証回数＝２、部位情報＝「親指」といった情報が入力される。例えば、第２回目の認証操作に応じて「親指」の部位情報が入力された場合に、ジャンル＝「ポップス」が特定されるものと仮定する。この場合、フォルダ管理部１２０は、「ポップス」に対応するジャンル別仮想フォルダを生成する。
【０１１６】
このとき、フォルダ管理部１２０は、ユーザ１用仮想フォルダの下位階層に「ポップス」ジャンル用のジャンル別仮想フォルダを生成する。さらに、フォルダ管理部１２０は、「ポップス」に対応するジャンル別仮想フォルダの情報をデータ取得部１２２に入力する。ジャンル別仮想フォルダの情報が入力されると、データ取得部１２２は、取得したデータを所定のフォルダに格納すると共に、そのデータのポインタを「ポップス」ジャンル用のジャンル別仮想フォルダに対応付ける。このように、実フォルダと同じように仮想フォルダが自動生成され、データのポインタが対応付けられる。
【０１１７】
また、グループが登録されると、フォルダ管理部１２０は、登録グループ用のグループ別仮想フォルダを生成する。さらに、データ取得部１２２は、あるユーザのユーザ用仮想フォルダにデータのポインタを対応付ける際、そのユーザが属する登録グループのグループ別仮想フォルダにポインタを対応付ける。例えば、グループ１に属するユーザ１が第１回目の認証操作を行った場合、グループ選択部１２６によりグループ１が特定され、グループ１のグループ情報がデータ取得部１２２に入力される。グループ１のグループ情報が入力されると、データ取得部１２２は、取得したデータを所定のフォルダに格納すると共に、そのデータのポインタをユーザ１のユーザ用仮想フォルダとグループ１のグループ用仮想フォルダとに対応付ける。
【０１１８】
以上説明したように、上記の電子機器１０が有する一部の機能構成を変更することで仮想フォルダを用いたデータ管理方法に対応することができる。このように仮想フォルダを用いると、データが格納されるフォルダを少数の所定のフォルダに限定することが可能になり、全て又は大部分のデータをＰＣ等に移動させ、ＰＣ等の上でデータを整理し直したい場合にデータの移動及び再整理が容易になる。また、細かくグループ分けやジャンル分けをしても、データの格納位置が分散されないため、データの検索性が向上する。さらに、同じ実データが複数のフォルダに重複して格納されることが回避されるため、メモリの利用効率を向上させることができる。また、誤ってフォルダを削除したり変更してしまったりしても、実データ自体が消去されないため、データの安全性が高まる。
【０１１９】
［４：データの表示方法について］
次に、図１２を参照しながら、本実施形態に係るデータ管理方法で管理されるデータの表示方法について説明する。図１２は、本実施形態に係るデータ管理方法で管理されるデータの表示方法の一例を示す説明図である。これまでの説明においては、生体認証を用いたフォルダの自動生成処理、及びデータの自動振り分け処理が示された。また、これらの自動処理をデータの実行時又は再生時に利用する拡張方法についても説明した。ここでは、フォルダ及びデータの表示方法について具体的に説明すると共に、属性情報を用いたデータ管理方法への拡張について説明する。
【０１２０】
（データの表示方法）
例えば、図１２に示すように、データ記憶部１２４の中にユーザ１用フォルダ、及びユーザ２用フォルダが生成されているものと仮定する。さらに、ユーザ１用フォルダには複数のデータＰ１〜Ｐ６が、ユーザ２用フォルダには複数のデータＰ７〜Ｐ１２が格納されているものと仮定する。図１２には「ユーザ１属性」「ユーザ２属性」と表記されているが、これらの表記については後述する。
【０１２１】
この状態でユーザ１により認証操作が行われると、ユーザ認証部１１２により、ユーザ１の生体情報に基づいてユーザ１が特定される。そして、フォルダ管理部１２０により、ユーザ認証部１１２で特定されたユーザ１のフォルダが自動選択される。ここで、ユーザ１により操作入力部１２８を用いて表示操作が行われると、表示制御部１３０により、ユーザ１用フォルダ内のデータが表示される。例えば、ユーザ１用フォルダ内のデータ一覧が選択メニューとしてサムネイル表示される。その後、ユーザ１により所望のデータが選択されると、表示制御部１３０により、そのデータの内容が表示される。
【０１２２】
（属性情報を用いたデータ管理方法：拡張２）
上記のように、フォルダを用いてデータが管理されることで、ユーザ毎又はジャンル毎にデータが整理され、データを表示する際にもデータの検索性が向上する。これまでの説明においては、フォルダによるデータの管理方法が主に示された。但し、このデータ管理方法の特徴は、生体認証により得られるユーザ情報等に基づいてフォルダが自動生成されたり、フォルダが自動選択されたりする点にある。
【０１２３】
既に仮想フォルダを用いる構成への技術的拡張方法については述べたが、さらに拡張を進め、仮想フォルダにデータを対応付けるのとは逆に、各データに属性情報（仮想フォルダに相当）を付与する方法について説明する。ここで言う属性情報には、ユーザの情報、ジャンルの情報、グループ情報等が含まれる。つまり、上記のフォルダ属性に相当する情報が、ここで言う属性情報である。
【０１２４】
このような属性情報によるデータ管理方法を用いる場合、電子機器１０の機能構成（図１を参照）は次のように変更される。上記の通り、フォルダ管理部１２０は、ユーザ認証部１１２から入力されたユーザ情報、認証回数カウンタ１１６から入力された認証回数、及び生体部位特定部１１８から入力された部位情報に基づいてフォルダを管理する。例えば、ユーザ１が生体情報を登録した際、フォルダ管理部１２０は、データ記憶部１２４にユーザ１用のフォルダを自動作成するように構成されていた。しかし、属性情報を用いる場合、フォルダ管理部１２０は、各ユーザ用のフォルダを生成しない。
【０１２５】
また、フォルダ管理部１２０は、ユーザ１が第１回目の認証操作を行った際、ユーザ認証部１１２で特定されたユーザ情報に基づいてユーザ１のフォルダにデータの格納先を移動させるように構成されていた。しかし、属性情報を用いる場合、フォルダ管理部１２０は、上記のフォルダ属性に相当するユーザ１の属性情報をデータ取得部１２２に入力する。属性情報が入力されると、データ取得部１２２は、取得したデータをデータ記憶部１２４に存在する所定のフォルダに格納し、さらに、そのデータに属性情報を付与する。
【０１２６】
また、ユーザ１により「親指」で第２回目の認証操作が行われると、フォルダ管理部１２０には、ユーザ情報＝ユーザ１、認証回数＝２、部位情報＝「親指」といった情報が入力される。例えば、第２回目の認証操作に応じて「親指」の部位情報が入力された場合に、ジャンル＝「ポップス」が特定されるものと仮定する。この場合、フォルダ管理部１２０は、ユーザ情報＝ユーザ１、ジャンル情報＝「ポップス」を示す属性情報をデータ取得部１２２に入力する。属性情報が入力されると、データ取得部１２２は、取得したデータをデータ記憶部１２４に存在する所定のフォルダに格納し、さらに、そのデータに属性情報を付与する。
【０１２７】
また、グループ１に属するユーザ１が第１回目の認証操作を行った場合、グループ選択部１２６によりグループ１が特定され、グループ１のグループ情報が属性情報としてデータ取得部１２２に入力される。グループ１のグループ情報が入力されると、データ取得部１２２は、取得したデータを所定のフォルダに格納すると共に、フォルダ管理部１２０から入力された属性情報、及びグループ選択部１２６から入力されたグループ情報を属性情報としてデータに付与する。
【０１２８】
上記のように、各データに対し、生体認証に基づいて決定された属性情報が付与されるため、各データの属性情報に基づいてデータが自動的に分類される。その結果、図１２に示すように、フォルダで分類した場合と実質的に同じ操作でデータを検索することが可能になる。この方法では、上記の通り、第２次認証に基づいて属性情報が順次追加されていくため、階層構造を持つフォルダでデータを管理しているのと同じように各データを管理することが可能になる。その一方、ユーザ数が増加したり、多数の細かいジャンル分けがされたりしても、データ記憶部１２４の内部でフォルダ構成が複雑になることはないため、データの移動や検索を容易に行うことができる。
【０１２９】
［５：電子機器１０のハードウェア構成例について］
上記の電子機器１０が有する各構成要素の機能は、例えば、図１３に示す情報処理装置のハードウェア構成を用いて実現することが可能である。例えば、各構成要素の機能は、コンピュータプログラムを用いて図１３に示す情報処理装置を制御することにより実現される。なお、ここで示す情報処理装置の形態は任意であり、例えば、パーソナルコンピュータ、携帯電話、ＰＨＳ、ＰＤＡ等の携帯情報端末、ゲーム機、又は種々の情報家電がこれに含まれる。但し、上記のＰＨＳは、Ｐｅｒｓｏｎａｌ  Ｈａｎｄｙ−ｐｈｏｎｅ  Ｓｙｓｔｅｍの略である。また、上記のＰＤＡは、Ｐｅｒｓｏｎａｌ  Ｄｉｇｉｔａｌ  Ａｓｓｉｓｔａｎｔの略である。
【０１３０】
図１３に示すように、この情報処理装置は、主に、ＣＰＵ９０２と、ＲＯＭ９０４と、ＲＡＭ９０６と、ホストバス９０８と、ブリッジ９１０と、外部バス９１２と、インターフェース９１４と、入力部９１６と、出力部９１８と、記憶部９２０と、ドライブ９２２と、接続ポート９２４と、通信部９２６とにより構成される。但し、上記のＣＰＵは、Ｃｅｎｔｒａｌ  Ｐｒｏｃｅｓｓｉｎｇ  Ｕｎｉｔの略である。また、上記のＲＯＭは、Ｒｅａｄ  Ｏｎｌｙ  Ｍｅｍｏｒｙの略である。そして、上記のＲＡＭは、Ｒａｎｄｏｍ  Ａｃｃｅｓｓ  Ｍｅｍｏｒｙの略である。
【０１３１】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、ＣＰＵ９０２に読み込まれるプログラムや演算に用いるデータ等を格納する手段である。ＲＡＭ９０６には、例えば、ＣＰＵ９０２に読み込まれるプログラムや、そのプログラムを実行する際に適宜変化する各種パラメータ等が一時的又は永続的に格納される。
【０１３２】
これらの構成要素は、例えば、高速なデータ伝送が可能なホストバス９０８を介して相互に接続される。一方、ホストバス９０８は、例えば、ブリッジ９１０を介して比較的データ伝送速度が低速な外部バス９１２に接続される。また、入力部９１６としては、例えば、マウス、キーボード、タッチパネル、ボタン、スイッチ、及びレバー等が用いられる。さらに、入力部９１６としては、赤外線やその他の電波を利用して制御信号を送信することが可能なリモートコントローラ（以下、リモコン）が用いられることもある。
【０１３３】
出力部９１８としては、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。但し、上記のＣＲＴは、Ｃａｔｈｏｄｅ  Ｒａｙ  Ｔｕｂｅの略である。また、上記のＬＣＤは、Ｌｉｑｕｉｄ  Ｃｒｙｓｔａｌ  Ｄｉｓｐｌａｙの略である。そして、上記のＰＤＰは、Ｐｌａｓｍａ  ＤｉｓｐｌａｙＰａｎｅｌの略である。さらに、上記のＥＬＤは、Ｅｌｅｃｔｒｏ−Ｌｕｍｉｎｅｓｃｅｎｃｅ  Ｄｉｓｐｌａｙの略である。
【０１３４】
記憶部９２０は、各種のデータを格納するための装置である。記憶部９２０としては、例えば、ハードディスクドライブ（ＨＤＤ）等の磁気記憶デバイス、半導体記憶デバイス、光記憶デバイス、又は光磁気記憶デバイス等が用いられる。但し、上記のＨＤＤは、Ｈａｒｄ  Ｄｉｓｋ  Ｄｒｉｖｅの略である。
【０１３５】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ  ＤＶＤメディア、コンパクトフラッシュ（登録商標）（ＣＦ）、メモリースティック、又はＳＤメモリカード等である。もちろん、リムーバブル記録媒体９２８は、例えば、非接触型ＩＣチップを搭載したＩＣカード、又は電子機器等であってもよい。但し、上記のＣＦは、ＣｏｍｐａｃｔＦｌａｓｈの略である。また、上記のＳＤは、Ｓｅｃｕｒｅ  Ｄｉｇｉｔａｌ  ｍｅｍｏｒｙ  ｃａｒｄの略である。そして、上記のＩＣは、Ｉｎｔｅｇｒａｔｅｄ  Ｃｉｒｃｕｉｔの略である。
【０１３６】
接続ポート９２４は、例えば、ＵＳＢポート、ＩＥＥＥ１３９４ポート、ＳＣＳＩ、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。但し、上記のＵＳＢは、Ｕｎｉｖｅｒｓａｌ  Ｓｅｒｉａｌ  Ｂｕｓの略である。また、上記のＳＣＳＩは、Ｓｍａｌｌ  Ｃｏｍｐｕｔｅｒ  Ｓｙｓｔｅｍ  Ｉｎｔｅｒｆａｃｅの略である。
【０１３７】
通信部９２６は、ネットワーク９３２に接続するための通信デバイスであり、例えば、有線又は無線ＬＡＮ、Ｂｌｕｅｔｏｏｔｈ（登録商標）、又はＷＵＳＢ用の通信カード、光通信用のルータ、ＡＤＳＬ用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。但し、上記のＬＡＮは、Ｌｏｃａｌ  Ａｒｅａ  Ｎｅｔｗｏｒｋの略である。また、上記のＷＵＳＢは、Ｗｉｒｅｌｅｓｓ  ＵＳＢの略である。そして、上記のＡＤＳＬは、Ａｓｙｍｍｅｔｒｉｃ  Ｄｉｇｉｔａｌ  Ｓｕｂｓｃｒｉｂｅｒ  Ｌｉｎｅの略である。
【０１３８】
［６：まとめ］
最後に、本実施形態の電子機器が有する機能構成と、当該機能構成により得られる作用効果について簡単に纏める。
【０１３９】
まず、本実施形態に係る電子機器の機能構成は次のように表現することができる。当該電子機器は、次のような生体認証センサと、ユーザ特定部と、データ格納部とを有する。上記のユーザ認証部１１２は、ユーザ特定部の一例である。また、上記のフォルダ管理部１２０、データ取得部１２２、データ記憶部１２４は、データ格納部の一例である。
【０１４０】
上記の生体認証センサは、生体の特徴量を検出するものである。また、上記のユーザ特定部は、ユーザにより所定の操作が行われる際に前記生体認証センサで検出された特徴量に基づいて当該ユーザを特定するものである。さらに、上記のデータ格納部は、前記所定の操作に応じて取得されるデータを前記ユーザ特定部で特定されたユーザに対応する所定のフォルダに格納するものである。
【０１４１】
このように、ユーザが所定の操作を行う際に取得された生体情報でユーザを特定することにより、自動的に操作ユーザを特定することができる。例えば、あるユーザ１がログインし、ユーザ１とは異なるユーザ２により操作が行われた場合でも、操作を行ったユーザ２がユーザとして特定される。本実施形態のように、ユーザ毎にデータを管理する目的でユーザの情報を利用する場合、ログインユーザではなく操作ユーザの情報に基づいてデータが管理されることが望ましい。
【０１４２】
こうした理由から、本実施形態においては、操作ユーザを生体認証により特定し、その特定した操作ユーザのフォルダに、操作結果として得られるデータを格納する構成が提案されているのである。このような構成を採用することにより、操作ユーザのフォルダにデータが整理され、データの検索性が向上する。さらに、操作ユーザがフォルダの移動操作を行わずとも、自動的に所望のフォルダにデータが格納されるため、少ない操作工程で容易にデータを整理して格納することができる。
【０１４３】
また、上記の電子機器は、前記ユーザ特定部の特定結果に基づき、前記所定の操作が行われる際に前記生体認証センサで同じユーザの特徴量が続けて検出された回数をカウントする検出回数カウンタと、前記検出回数カウンタによる検出回数に応じて前記データが格納される所定のフォルダを選択するフォルダ選択部と、をさらに備えていてもよい。この場合、前記データ格納部は、前記フォルダ選択部で選択された所定のフォルダに前記データを格納する。なお、上記の認証回数カウンタ１１６は、検出回数カウンタの一例である。また、上記のフォルダ管理部１２０は、フォルダ選択部の一例である。
【０１４４】
このような構成にすることで、同じユーザが続けて認証操作を行った場合に、第２次認証であることが判定される。さらに、ユーザが認証操作を行った回数に応じてデータが格納されるフォルダを移動させることで、認証操作の回数にフォルダ属性を設定することが可能になる。例えば、認証操作の回数にジャンルが対応付けられていれば、認証操作の回数に応じてジャンル別フォルダにデータが自動振り分けされ、ユーザがジャンルの選択操作やジャンル別フォルダへの移動操作を行う必要が無くなり、操作工程が少なくなる。
【０１４５】
また、上記の電子機器は、前記生体認証センサで検出された特徴量に基づいて生体部位を特定する生体部位特定部をさらに備えていてもよい。この場合、前記フォルダ選択部は、前記検出回数カウンタによる検出回数がＮ（Ｎ≧２）の場合、前記生体認証センサでｋ（ｋ＝２，…，Ｎ）回目に検出された特徴量に基づいて前記生体部位特定部により特定された生体部位に応じて前記所定のフォルダを選択する。
【０１４６】
このような構成にすることで、第２次認証の結果に応じてフォルダを選択する際に、第２次認証に用いられた生体部位の情報を考慮することが可能になり、ジャンルやグループ等、より多くの細かいフォルダ属性を選択できるようになる。また、生体部位に応じてフォルダ属性が変更できるようになるため、第２次認証の回数だけでフォルダ属性を変更する場合に比べて、少ない操作工程で細かいフォルダ属性を選択できるようになる。
【０１４７】
また、前記フォルダ選択部は、前記検出回数カウンタによる検出回数がＮ（Ｎ≧３）の場合、前記生体部位特定部で順次特定されるＮ個の生体部位の組み合わせ及び並び順に応じて前記所定のフォルダを選択する。このように、第２次認証の回数が２回以上の場合、生体部位の組み合わせや、認証に用いた生体部位の順序を考慮することが可能になる。そこで、こうした組み合わせや順序にフォルダ属性を対応付けることで、より細かいフォルダ属性を少ない操作工程で選択することができるようになる。
【０１４８】
また、上記の電子機器は、個々のユーザと所定のグループとの間の対応関係を定義するグループ情報に基づいて前記ユーザ特定部で特定されたユーザに対応する前記所定のグループを選択するグループ選択部をさらに備えていてもよい。この場合、前記データ格納部は、前記所定の操作に応じて取得されたデータを前記グループ選択部で選択されたグループに対応する所定のフォルダに格納する。このように、本実施形態の技術は、ジャンル分けの他にグループ分けを行うこともできる。例えば、「家族」「友人」「同僚」等のグループでフォルダが分けられていることで、データを利用したり、他人にデータを渡す際に、データの検索性が向上する。
【０１４９】
また、上記の電子機器は、前記ユーザ特定部で特定されたユーザ以外のユーザに対応する所定のフォルダ、及び当該所定のフォルダ内のデータに対して表示制限又は操作制限を設定する制限設定部をさらに備えていてもよい。上記のように、本実施形態に係る技術を用いることで、様々なフォルダ属性を持つフォルダでデータを分類格納することが可能になる。そのため、フォルダ毎にアクセス制限や表示制限を設定することで、公開データと非公開データとを容易に分けることが可能になり、各ユーザのプライバシーが容易に確保されるようになる。
【０１５０】
また、前記データ格納部は、前記所定の操作に応じて取得されるデータを全ユーザに共通の共通フォルダに格納し、当該共通フォルダに格納したデータの情報を前記ユーザ特定部で特定されたユーザに対応する所定の仮想フォルダに対応付けるように構成されていてもよい。
【０１５１】
このような構成にすることで、フォルダ属性を考慮せずに全て又は大部分のデータを一度に移動させる際、共通フォルダだけを参照して移動操作を行えば済むため、操作性を大きく向上させることができる。例えば、ＰＣ等にデータを移動して管理したい場合、電子機器においてデータ管理に用いたフォルダ構造が邪魔になることがある。しかし、上記のような仮想フォルダを用いる場合、データが分散しないため、データの移動及び再整理が容易になる。さらに、重複して複数のフォルダにデータが格納されないため、メモリ資源を有効に利用することが可能になる。
【０１５２】
また、前記生体の特徴量は、例えば、静脈パターン、指紋、虹彩模様のいずれか１つ又は複数の組み合わせに基づいてユーザを一意に特定することが可能な特徴量である。本実施形態においては、生体情報として、これらの情報を用いることができる。もちろん、その他の生体に関する情報を用いることもできる。
【０１５３】
また、上記の電子機器は、被写体像を撮影する撮像部と、前記撮像部に撮像処理を実行させるための操作ボタンと、をさらに備えていてもよい。この場合、前記ユーザ特定部は、前記操作ボタンが操作された際に前記生体認証センサで検知された特徴量に基づいて当該ユーザを特定し、前記データ格納部は、前記操作ボタンの操作に応じて前記撮像部により撮影された画像のデータを前記ユーザ特定部で特定されたユーザに対応する所定のフォルダに格納する。つまり、本実施形態に係る電子機器は、撮像装置に適用することができる。撮像装置に適用する場合、シャッターボタンを押下する際にユーザの生体部位が接触又は近接する位置に生体認証センサが設けられている方がよい。
【０１５４】
また、上記の電子機器は、コンテンツデータを取得するデータ取得部と、前記データ取得部にデータの取得処理を実行させるための操作ボタンと、をさらに備えていてもよい。この場合、前記ユーザ特定部は、前記操作ボタンが操作された際に前記生体認証センサで検知された特徴量に基づいて当該ユーザを特定し、前記データ格納部は、前記操作ボタンの操作に応じて前記データ取得部により取得されたコンテンツデータを前記ユーザ特定部で特定されたユーザに対応する所定のフォルダに格納する。つまり、本実施形態に係る技術は、音楽プレーヤや動画プレーヤ等のコンテンツプレーヤに適用することができる。もちろん、ＰＣやその他の電子機器一般に対しても適用することができる。
【０１５５】
また、上記の電子機器は、生体の特徴量を検出する生体認証センサと、ユーザにより所定の操作が行われる際に前記生体認証センサで検出された特徴量に基づいて当該ユーザを特定するユーザ特定部と、前記所定の操作に応じて取得されるデータに前記ユーザ特定部で特定されたユーザの属性情報を付与する属性付与部と、前記属性付与部でユーザの属性情報が付与されたデータを所定のフォルダに格納するデータ格納部と、を備えるように構成することもできる。なお、上記のフォルダ管理部１２０、データ取得部１２２、グループ選択部１２６は、属性付与部の一例である。
【０１５６】
また、上記の電子機器は、前記データ及び前記所定のフォルダに関する情報を表示することが可能な表示部と、前記データの表示操作が行われる際に前記生体認証センサで検出された特徴量に基づいて前記ユーザ特定部により特定されたユーザに対応する所定のフォルダ及び当該所定のフォルダ内に格納されたデータのいずれか一方又は両方を前記表示部に表示させる表示制御部と、をさらに備えていてもよい。このように、本実施形態に係る技術は、データを表示する方法にも応用することができる。このような構成にすることで、ユーザは所望のフォルダへの移動操作等を行わずとも、所望のフォルダに自動的に移動することが可能になる。
【０１５７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１５８】
例えば、上記実施形態においては、第２次認証であるか否かを認証回数に基づいて自動的に判別する構成が示された。しかし、本実施形態はこれに限定されず、例えば、第２次認証開始用のスイッチが押下された後で認証操作が行われた場合に、その認証操作の内容が第２次認証であると判断するように構成されていてもよい。また、そのスイッチが押下された際に、第２次認証で利用可能な生体部位（指等）の情報及び各生体部位に対応するジャンルの情報が表示されるように構成されていてもよい。このような構成にすることで、ユーザが第２次認証の操作を覚えておかなくても済み、ユーザの利便性が向上する。
【０１５９】
また、上記実施形態に係る電子機器１０においては、生体部位の組み合わせや第２次認証の認証操作回数等に応じて様々なフォルダ属性の切り替えやフォルダ間の移動等が発生する。そのため、ユーザが頻繁に行う操作や各ユーザが登録した情報等が設定ファイルとして記録され、最後に利用した操作内容が設定ファイルとして記録されていることが好ましい。このような構成にすると、後日同じユーザが電子機器１０を利用した際に設定ファイルを読み出して利用することができるため、再度同じ情報をユーザが入力する手間を減らすことができる。例えば、ユーザ毎に設定ファイルが作成され、ユーザが認証操作を行った際に生体情報で特定されたユーザの設定ファイルが読み出されるように構成される。
【符号の説明】
【０１６０】
１０    電子機器
１００    生体認証センサ
１０１    マイクロレンズアレイ
１０３    マイクロレンズ
１０５    ＬＥＤ
１０７Ａ、１０７Ｂ    指向性制御板
１０９    撮像素子
１１２    ユーザ認証部
１１４    認証情報記憶部
１１６    認証回数カウンタ
１１８    生体部位特定部
１２０    フォルダ管理部
１２２    データ取得部
１２４    データ記憶部
１２６    グループ選択部
１２８    操作入力部
１３０    表示制御部
１３２    表示部
ＦＧ    指
Ｌ１１    照射光
Ｌ１２    直接光
Ｌ１３    散乱光
Ｖ    静脈
【図１】
2010211518.tif 000003
【図２】
2010211518.tif 000004
【図３】
2010211518.tif 000005
【図４】
2010211518.tif 000006
【図５】
2010211518.tif 000007
【図６】
2010211518.tif 000008
【図７】
2010211518.tif 000009
【図８】
2010211518.tif 000010
【図９】
2010211518.tif 000011
【図１０】
2010211518.tif 000012
【図１１】
2010211518.tif 000013
【図１２】
2010211518.tif 000014
【図１３】
2010211518.tif 000015